(57)【特許請求の範囲】
【請求項１】
脚により支持される座部の端部側から上方に伸びる背枠と、
前記背枠内に設けられ柔軟性を有すると共に、多数の縦長の菱形状の孔が設けられ網状に形成されており、利用者の背中に接触する合成樹脂製の背板と、を備え、
前記背枠は、前記背板を両側から保持する左右枠部を有し、
前記左右枠部は、前記菱形状の孔における４辺の何れかに対して略平行である
椅子の背もたれ構造。
【請求項２】
前記左右枠部に隣接する前記菱形状の孔は、他の前記菱形状の孔と同一の形状及び大きさを有している請求項１に記載の椅子の背もたれ構造。
【発明の詳細な説明】
【技術分野】
【０００１】
本発明は、椅子の背もたれ構造に関する。
【背景技術】
【０００２】
従来、網状の背もたれを有する椅子が知られている（例えば、特許文献１参照。）。特許文献１の椅子の背もたれ３０は、図１２に示すように、背フレーム３１の内側に背板３２が設けられている。背板３２は、図１３に示すように、横幅が同一の縦長孔３３が多数設けられ、網状に形成されている。
【特許文献１】特開２００７−１２５２１９号公報
【発明の開示】
【発明が解決しようとする課題】
【０００３】
しかしながら、従来の特許文献１に記載の椅子の背もたれ３０は、背板３２に利用者による荷重が作用した際に、背板３２の伸び量が比較的少なく、利用者がフィット感を得にくいという問題があった。
【０００４】
また、背フレーム３１が背板３２の縦長孔３３に対して傾斜している場合には、背フレーム３１付近の縦長孔３３を背フレーム３１が横切るように配置されるため、背フレーム３１の近傍の縦長孔３３の形状及び大きさが他の縦長孔３３と相違し、体裁が悪くなるという問題があった。
【０００５】
本発明は、このような問題に鑑みなされたもので、利用者が良好なフィット感を得ることができると共に、体裁を良好にできる椅子の背もたれ構造の提供を課題とする。
【課題を解決するための手段】
【０００６】
本発明は、前記課題を解決するため、以下の手段を採用した。
すなわち、本発明は、
脚により支持される座部の端部側から上方に伸びる背枠と、
前記背枠内に設けられ柔軟性を有すると共に、多数の菱形状の孔が設けられ網状に形成された背板と、
を備える。
【０００７】
本発明によれば、背板が多数の菱形状の孔を有し、互いに斜めに交差する糸や帯などで編み込まれた網状に形成されているので、背板に利用者による荷重が作用した際に、横幅が同一の縦長孔を有する背板に比べて、背板の伸び量が大きくなり、利用者に良好なフィット感を与えることができる。
【０００８】
ここで、前記背枠は、前記背板の両側を支持する左右枠部を有し、前記左右枠部は、前記菱形状の孔における４辺の何れかに対して略平行に構成できる。この構成により、菱形状の孔の一辺と背枠の左右枠部とが同一方向を向くように配置されるので、体裁が良好になる。また、左右枠部が菱形状の孔を横切るように配置されることがないので、背板の強度が低下するのを抑制できる。
【０００９】
また、前記左右枠部に隣接する前記菱形状の孔は、他の前記菱形状の孔と同一の形状及び大きさを有している構成にできる。この構成により、更に体裁が良好になる。
【００１０】
また、前記背板のうち前記座部から所定の距離だけ離れた部分は、他の部分より肉厚に
形成されている構成にできる。この構成により、例えば背板のうち利用者の腰に当たる部分を肉厚にすることにより、利用者の腰を確実に支えることができる。
【００１１】
また、前記菱形状の孔は、縦長に形成されている構成にできる。この構成により、背板の横方向（利用者の左右方向）の伸び量が上下方向の伸び量より大きくなるので、更に良好なフィット感を与えることができる。
【発明の効果】
【００１２】
本発明によれば、背板に多数の菱形状の孔が設けられ、互いに斜めに交差する糸を編み込んだ網状に形成されているので、背板に利用者による荷重が作用した際に、背板の伸び量が大きくなる。従って、利用者に良好なフィット感を与えることができる。また、菱形状の孔の一辺と背枠における左右枠部とを略平行にすることにより、背枠が菱形状の孔を横切ることのないように配置できるので、体裁を良好にできると共に、背板の強度低下を防止できる。
【発明を実施するための最良の形態】
【００１３】
以下、本発明に係る椅子の背もたれ構造の実施の形態を、添付した図面に基づいて詳細に説明する。なお、以下の実施形態は一実施例であり、本発明は実施形態に限定されない。
【００１４】
図１は、本発明の椅子の背もたれ構造を適用した椅子１の正面図を示す。この椅子１は、脚１１と、この脚１１により回転自在に支持される受台１２と、受台１２上に設けられた座部１３と、座部１３の後端側から上方に伸びる背もたれ１４とを有している。なお、図１〜図１１中に示す上、下、左、右、前、後の文字は、椅子１に座った利用者から見た方向を示している。
【００１５】
次に、背もたれ１４について説明する。なお、背もたれ１４以外の構成要素は、一般的なものを使用できるので、その説明を省略する。背もたれ１４は、座部１３の端縁における両側から上方に延びる略四角（図４参照）の枠状に形成された背枠である背フレーム２０と、この背フレーム２０内に設けられた背板２１とを備えている。背フレーム２０及び背板２１は、例えば柔軟性を有する合成樹脂によって一体成型されている。背フレーム２０は、受台１２から上方に伸びる二本の背支柱２２（図４参照）によって両側を支持されている。
【００１６】
背もたれ１４は、図２に示すように、利用者の背中の形状に合わせて座部１３側に凹となる湾曲状に形成されている。また、この背もたれ１４の背フレーム２０は、棒状に形成されている。
【００１７】
また、背フレーム２０は、図３に示すように、座部１３から所定の高さ、例えば標準的な体格の利用者における腰に対応する部分を基点部２３として、この基点部２３より上側の部分、及び基点部２３より下側の部分が、それぞれ座部１３から離れる方向に適宜な角度で傾斜している。すなわち、基点部２３が、座部１３側に突出している。
【００１８】
更に、この背フレーム２０は、図４の背面図に示すように、基点部２３を頂点として同一方向に傾斜する左枠部２０ａ及び右枠部２０ｂと、これらの左右枠部２０ａ，２０ｂの上下端を連結する上枠部２０ｃ及び下枠部２０ｄとによって、略四角形状に形成されている。下枠部２０ｄは、背支柱２２を連結する連結部材２２ａにボルトなどで固定されている。
【００１９】
この背フレーム２０は、背面（後方）から見て左右枠部２０ａ，２０ｂの基点部２３か
ら上側の部分が上広がり状に形成され、基点部２３から下側の部分が下広がり状に形成されている。すなわち、左右枠部２０ａ，２０ｂは、正面（前方）から見たときに基点部２３が中窄みになるように形成されている。
【００２０】
また、背板２１は、薄板状に形成され多数の菱形状の孔２４を有している。なお、菱形とは四つの辺の長さが等しい四辺形で、四つの角が直角でないものをいい、例えばトランプのダイヤの形状を例示できる。この菱形状の孔２４は、図５に示すように、図５中の上下方向に縦長に形成されている。これにより、背板２１は、図６に示すように、糸状部材、紐状部材、或いは帯状部材などの細長い部材ａ，ｂをタスキかけにして編み込んだ網のように形成されている。
【００２１】
また、本実施形態では、菱形状の孔２４における上下の角に丸みが設けられている。これにより、背板２１が図４中の左右方向に伸びた際に、菱形状の孔２４の上下の角に応力集中するのを抑制できる。
【００２２】
これらの菱形状の孔２４は、図７の背面図に示すように、左右の角が図７中の左右方向に伸びる横軸Ａ，Ｂ・・・上に配置されている。また、上下に隣接する横軸Ａ，Ｂ・・・上の菱形状の孔２４，２４は、互いに左右方向に所定の距離だけずれた位置に配置されている。更に、上下に隣接する横軸Ａ，Ｂ・・・上の菱形状の孔２４，２４における上下端部は、互いに相手軸の菱形状の孔２４，２４の間に入り込むように配置されている。
【００２３】
背フレーム２０の左右枠部２０ａ，２０ｂにおける基点部２３の上下部分は、図８に示すように、背板２１の菱形状の孔２４における４辺２４ａ，２４ｂ，２４ｃ，２４ｄの何れかに対して略平行になるように配置されている。
【００２４】
本実施形態では、例えば左枠部２０ａの基点部２３より上側の部分が、菱形状の孔２４における左下側の辺２４ｄ及び右上側の辺２４ａに対して平行に配置され、左枠部２０ａの基点部２３より下側の部分が、菱形状の孔２４における左上側の辺２４ａ及び右下側の辺２４ｃに対して平行に配置されている。右枠部２０ｂについても、左枠部２０ａと同様である。
【００２５】
また、背板２１の最外周側の孔２４より外側には、孔のない縁部が設けられている。更に、図９に示すように、背板２１の基点部２３における上下の所定の範囲Ｈは、他の部分より肉厚に形成されている。なお、図９は、図を見やすくするため背板２１に設けられている菱形状の孔２４を省略した。
【００２６】
このように、本実施形態の背もたれ１４は、背板２１が縦長に形成された多数の菱形状の孔２４を有し、互いに斜めに交差する糸を編み込んだ網状に形成されているので、背板２１に利用者による加重が作用した際に、従来の同一幅の縦長孔を有する背板に比べて、伸び量が大きくなる。従って、利用者に良好なフィット感を与えることができる。
【００２７】
また、図１０に示すように、菱形状の孔２４における左右の角２４ｅ，２４ｆは、横軸Ａ，Ｂ・・・上に配置されている。これにより、図１１に示すように、背板２１が伸びる方向は、横軸Ａ，Ｂ・・・方向が最大になるので、利用者に与えるフィット感が更に良好になる。
【００２８】
また、背板２１のうち、利用者の腰の辺りに位置する基点部２３を含む所定の範囲Ｈの肉厚が、他の部分より厚く形成されているので（図９参照）、利用者の腰の付近を確実に支持することができる。
【００２９】
また、背フレーム２０の左枠部２０ａ及び右枠部２０ｂは、菱形状の孔２４の４辺のうち何れかに平行なので、背フレーム２０が菱形状の孔２４を横切ることの無いように構成できる。更に、菱形状の孔２４のうち最外周の菱形状の孔２４は、他の菱形状の孔２４と同一の形状及び大きさを有しているので、背板２１の強度が低下するのを防止できると共に、背板２１の外観を良好にできる。なお、上記実施形態では、菱形状の孔２４を縦長としたが、菱形状の孔２４は正方形若しくは横長であってもよい。
【図面の簡単な説明】
【００３０】
【図１】実施形態に係る椅子を示す正面図である。
【図２】実施形態に係る椅子の上面図であり、図１のＡ矢視図である。
【図３】実施形態に係る椅子の側面図であり、図１のＢ矢視図である。
【図４】実施形態に係る背もたれの背面図であり、図３のＣ矢視図である。
【図５】実施形態に係る背板の菱形状の孔を示す斜視図である。
【図６】実施形態に係る背板が斜めの糸を組み込んだ網状に形成されていることを説明する図である。
【図７】実施形態に係る背フレームと背板の菱形状の孔を示す図である。
【図８】実施形態に係る背フレームの左右枠部と菱形状の孔との関係を示す図である。
【図９】実施形態に係る背板の縦断面を示す図であり、図１のＤ−Ｄ断面図である。
【図１０】実施形態に係る菱形状の孔の配列を示す図である。
【図１１】実施形態に係る菱形状の孔の変形を示す図である。
【図１２】従来例に係る椅子を示す斜視図である。
【図１３】従来例に係る背板を示す図である。
【符号の説明】
【００３１】
１  椅子
１１  脚
１２  受台
１３  座部
１４  背もたれ
２０  背フレーム（背枠）
２０ａ  左枠部
２０ｂ  右枠部
２０ｃ  上枠部
２０ｄ  下枠部
２１  背板
２２  背支柱
２２ａ  連結部材
２３  基点部
２４  菱形状の孔
２４ａ，２４，２４ｄ，２４ｄ  菱形状の孔の辺
２４ｅ，２４ｆ  菱形状の孔における左右の角
２５  背板の縁部
３０  背もたれ
３１  背フレーム
３２  背板
３３  横幅が同一の縦長孔
【図１】
0005276304.tif 000002
【図２】
0005276304.tif 000003
【図３】
0005276304.tif 000004
【図４】
0005276304.tif 000005
【図５】
0005276304.tif 000006
【図６】
0005276304.tif 000007
【図７】
0005276304.tif 000008
【図８】
0005276304.tif 000009
【図９】
0005276304.tif 000010
【図１０】
0005276304.tif 000011
【図１１】
0005276304.tif 000012
【図１２】
0005276304.tif 000013
【図１３】
0005276304.tif 000014